(57)【要約】  【課題】  利用者の快適さを向上させたマッサージ器を提供する。  【解決手段】  マッサージチェア１００は、座部１０２の前方に取り付けられ、マッサージチェア１００の利用者の膝下上部を支持する膝下支持部１１０と、一方の面が凹凸形状で他方の面が略平坦であって、枢軸１２４を回転軸として前方に回転する際に凹凸形状を有する面が利用者の膝下を支持し、後方に回転する際に略平坦な面が利用者の膝下下部を支持するマッサージ具１２２とを有する。【選択図】  図１ 
2005198978.tif 000002
【特許請求の範囲】
【請求項１】
利用者が着座する座部と、
前記座部の前方に取り付けられ、前記利用者の膝下上部を支持しうる上面が略平坦な膝下支持部と、
第１の面が凹部と凸部とを含む凹凸形状で第２の面が略平坦な形状であって、前記膝下支持部の前方端を回転軸として回動自在に取り付けられ、後方に回転した場合に前記第１の面が上面となって前記利用者の膝下を前記凹部に支持し、前方に回転した場合に前記第２の面が上面となって前記膝下支持部の上面とともに略平坦な面を形成して前記利用者の膝下を支持するマッサージ具とを有することを特徴とするマッサージ器。
【請求項２】
前記膝下支持部の前方に配置され、前記マッサージ具が後方に回転した場合に、前記利用者の膝下下部を支持し、前記マッサージ具が前方に回転した場合に、前記マッサージ具を支持する支持部を有することを特徴とする請求項１記載のマッサージ器。
【請求項３】
前記支持部の上面が、前記マッサージ具の第１の面と嵌合する凹凸形状であることを特徴とする請求項２記載のマッサージ器。
【請求項４】
前記マッサージ具が後方に回転した場合に、前記マッサージ具の第１の面の凹部底部と、前記支持部の上面の凸部上部とが略平坦な面を形成することを特徴とする請求項３記載のマッサージ器。
【請求項５】
前記マッサージ具が後方に回転した場合に、前記マッサージ具の第１の面の凹部底部と、前記支持部の上面とが略平坦な面を形成することを特徴とする請求項２記載のマッサージ器。
【発明の詳細な説明】
【技術分野】
【０００１】
本発明は、利用者の膝下をマッサージするマッサージ器に関する。
【背景技術】
【０００２】
従来、利用者が座った状態でその利用者の膝下をマッサージするマッサージ機能を有するマッサージチェアが提案されている（例えば、特許文献１）。
【０００３】
従来の第１のマッサージチェアの外観図を図５に示す。図５（ａ）及び図５（ｂ）に示すように、マッサージ機能を有する凹凸形状の膝下支持部１４が、座部１２の前方端に備えられた枢軸１６を回転軸として回転自在に取り付けられている。利用者がマッサージを受ける場合には、図５（ａ）に示すように、膝下支持部１４が前方（水平方向）に回転し、この膝下支持部１４の凹部に利用者の膝下が配置される。一方、利用者がマッサージを受けない場合には、図５（ｂ）に示すように膝下支持部１４が下方に回転する。
【０００４】
ところで、利用者は、マッサージを受けない場合においても快適に座るために、膝下について何らかの支えが必要と考える場合がある。このような場合には、マッサージは行われないものの、図５（ａ）に示すように膝下支持部１４が座部１２の前方に回転した状態となる。そして、利用者は、この膝下支持部１４の凹部に自身の膝下を配置することになるが、膝下を自由に動かすことが困難であるため、拘束感が強いという問題がある。
【０００５】
このため、利用者の拘束感を解消するマッサージチェアも提案されている（例えば、特許文献２）。
【０００６】
従来の第２のマッサージチェアの外観図を図６に示す。図６（ａ）及び図６（ｂ）に示すように、支持アーム３１が、座部２２の前方端に備えられた枢軸３４を回転軸として回動自在に取り付けられている。更に、フットレスト２５が、支持アーム３１のうち、後方から前方に延在するアームの中心に備えられた枢軸２６を回転軸として回転自在に取り付けられている。
【０００７】
従来の第２のマッサージチェアにおけるフットレストの外観図を図７に示す。図７（ａ）に示すように、フットレスト２５の一方の面は凹凸形状のマッサージ面２４となっており、図７（ｂ）に示すように、フットレスト２５の他方の面は平坦な足載せ面３５となっている。利用者は、マッサージを受ける場合には、マッサージ面２４が上面となるようにフットレスト２５を回転させ、マッサージを受けない場合には、足載せ面３５が上面となるようにフットレスト２５を回転させる。これにより、利用者がマッサージを受けない場合には膝下が足載せ面３５によって支持される。
【特許文献１】特開平８−２５７０８４号公報
【特許文献２】特開２００３−６２０２４号公報
【発明の開示】
【発明が解決しようとする課題】
【０００８】
しかしながら、図６に示した従来のマッサージチェアでは、フットレスト２５が回転時に床部と支障してしまうことを防止するため、そのフットレスト２５の前後方向の長さが制限される。このため、例えば、図８に示すように、フットレスト２５の前端の角部が利用者の膝下下部（例えばふくらはぎ）の一部４１に当たり、利用者が痛みを感じる場合がある。このため、利用者の快適さを更に向上させたマッサージチェアが要求されている。
【０００９】
本発明は従来の問題を解決するためになされたもので、利用者の快適さを向上させたマッサージ器を提供することを目的とする。
【課題を解決するための手段】
【００１０】
本発明のマッサージ器は、利用者が着座する座部と、前記座部の前方に取り付けられ、前記利用者の膝下上部を支持しうる上面が略平坦な膝下支持部と、第１の面が凹部と凸部とを含む凹凸形状で第２の面が略平坦な形状であって、前記膝下支持部の前方端を回転軸として回動自在に取り付けられ、後方に回転した場合に前記第１の面が上面となって前記利用者の膝下を前記凹部に支持し、前方に回転した場合に前記第２の面が上面となって前記膝下支持部の上面とともに略平坦な面を形成して前記利用者の膝下を支持するマッサージ具とを有する構成となる。
【００１１】
この構成により、利用者がマッサージを受ける場合には、マッサージ具が後方に回転し、凹凸形状の第１の面が上面となり、このマッサージ具の凹部により利用者の膝下が支持される。一方、利用者がマッサージを受けない場合には、マッサージ具が前方に回転し、略平坦な第２の面が上面となって膝下支持部の上面とともに略平坦な面が形成され、膝下支持部により利用者の膝下上部が支持され、マッサージ具により膝下下部が支持される。
【００１２】
また、本発明のマッサージ器は、前記膝下支持部の前方に配置され、前記マッサージ具が後方に回転した場合に、前記利用者の膝下下部を支持し、前記マッサージ具が前方に回転した場合に、前記マッサージ具を支持する支持部を有する構成とすることができる。
【００１３】
この構成により、マッサージ具が後方に回転した場合においても、利用者の膝下下部を支持することができるとともに、マッサージ具が前方に回転した場合において、利用者の膝下によってマッサージ具に及ぼされる力が大きい場合においても、支持部が、マッサージ具、更には利用者の膝下を十分に支持することができる。
【００１４】
また、本発明のマッサージ器は、前記支持部の上面が、前記マッサージ具の第１の面と嵌合する凹凸形状である構成とすることができる。
【００１５】
この構成により、マッサージ具が後方に回転した場合に、支持部の上面の凸部が、利用者の膝下下部を支持することが可能となり、更には、マッサージ具が前方に回転した場合に、支持部がマッサージ具の動きを拘束することが可能となる。
【００１６】
また、本発明のマッサージ器は、前記マッサージ具が後方に回転した場合に、前記マッサージ具の第１の面の凹部下部と、前記支持部の上面の凸部上部とが略平坦な面を形成する構成とすることができる。
【００１７】
この構成により、利用者がマッサージを受ける場合において、膝下上部と膝下下部とが略同一な面により支持される。
【００１８】
また、本発明のマッサージ器は、前記マッサージ具が後方に回転した場合に、前記マッサージ具の第１の面の凹部下部と、前記支持部の上面とが略平坦な面を形成する構成とすることができる。
【００１９】
この構成により、利用者がマッサージを受ける場合において、膝下上部と膝下下部とが略同一な面により支持される。
【発明の効果】
【００２０】
本発明は、利用者がマッサージを受ける場合には、マッサージ具が後方に回転し、凹凸
形状の第１の面が上面となり、このマッサージ具により利用者の膝下が支持され、一方、利用者がマッサージを受けない場合には、マッサージ具が前方に回転し、略平坦な第２の面が上面となって膝下支持部の上面とともに略平坦な面が形成され、膝下支持部により利用者の膝下上部が支持され、マッサージ具により膝下下部が支持されるため、利用者の快適さを向上させることができる。
【発明を実施するための最良の形態】
【００２１】
以下、本発明の実施の形態のマッサージ器について、図面を用いて説明する。
【００２２】
まず、本発明の第１の実施の形態を説明する。本発明の第１の実施の形態に係るマッサージチェアの外観図を図１及び図２に示す。図１及び図２に示すマッサージチェア１００は、椅子本体１０６、脚部１０８、膝下支持部１１０、支持部１１６及びマッサージ具１２２を有する。
【００２３】
椅子本体１０６は、座部１０２及び背もたれ部１０４により構成される。この椅子本体１０６は、脚部１０８によって支持されている。膝下支持部１１０は、座部１０２の前方に取り付けられている。この膝下支持部１１０は、上面が略平坦となっており、マッサージチェア１００の利用者の膝下上部（例えば膝付近からふくらはぎ付近までの部分）を支持することができる。支持部１１６は、膝下支持部１１０の前方に形成されている。この支持部１１６の上面は、前後方向に延在する２つの壁部１１２と、これら２つの壁部１１２の間に形成される溝部１１４とを有する凹凸形状となっている。なお、図１及び図２に示すマッサージチェア１００は、膝下支持部１１０と支持部１１６とが一体化されているが、これら膝下支持部１１０と支持部１１６とが別体であってもよい。
【００２４】
マッサージ具１２２は、膝下支持部１１０の前方端に左右に延在するように構成された枢軸１２４を回転軸として回動自在に取り付けられている。このマッサージ具１２２の一方の面は、左右端と中央部とに形成される３つの壁部１１８と、これら３つの壁部１１８の間に形成される２つの溝部１２０とを有し、凹凸形状となっている。これに対して、マッサージ具１２２の他方の面は、略平坦となっている。また、壁部１１８の内部にはマッサージ機能を実現するための機構（図示せず）が構成されている。
【００２５】
マッサージ具１２２は、枢軸１２４を回転軸として後方（椅子本体１０６へ近付く方向）に回転した場合には、図１に示すように、壁部１１８及び溝部１２０が形成された凹凸形状の面が上面となり、略平坦な面が下面となって、膝下支持部１１０によって支持される。利用者は、マッサージ具１２２が図１に示すように配置されている場合に、椅子本体１０６に腰掛けた上で、２つの溝部１２０のぞれぞれに足を片方ずつ配置することにより、マッサージ具１２２により膝下上部が支持され、支持部１１６の壁部１１２によって膝下下部（例えばふくらはぎ付近からくるぶし付近までの部分）が支持され、膝下上部のマッサージを受けることができる。
【００２６】
なお、利用者は、体を椅子本体１０６の上方にずらすことでマッサージ具１２２により膝下下部のマッサージを受けるようにしてもよい。また、椅子本体１０６に浅く腰掛けた状態でマッサージ具１２２により膝下上部のマッサージを受け、深く腰掛けた状態でマッサージ具１２２により膝下下部のマッサージを受けることができるように椅子本体１０６を構成してもよい。
【００２７】
また、マッサージ具１２２が図１に示すように配置されている場合には、マッサージ具１２２の溝部１２０の凹部底部と、支持部１１６の壁部１１２の上部とが略平坦な面となるような構成であることが好ましい。これにより、利用者がマッサージを受ける場合において、膝下上部と膝下下部とが略同一な面により支持されることになり、快適さを向上さ
せることができる。
【００２８】
一方、マッサージ具１２２は、枢軸１２４を回転軸として前方（椅子本体１０６から離れる方向）に回転した場合には、図２に示すように、略平坦な面が上面となり、壁部１１８及び溝部１２０が形成された凹凸形状の面が下面となる。この場合、膝下支持部１１０の上面とマッサージ具１２２の略平坦な上面とによって、略平坦な面が形成される。そして、マッサージを受けない利用者は、椅子本体１０６に腰掛けた上で、足を伸ばすことにより、膝下支持部１１０によって膝下上部が支持され、マッサージ部１２２によって膝下下部が支持される。これにより、利用者の膝下の大部分が支持されるため、快適さを向上させることができる。
【００２９】
なお、マッサージ具１２２が図２に示すように配置されている場合には、マッサージ具１２２における壁部１１８及び溝部１２０が形成された凹凸形状の面と、支持部１１６における壁部１１２及び溝部１１４が形成された凹凸形状の面とが対向し、嵌合する。これにより、利用者の膝下によってマッサージ具に及ぼされる力が大きい場合においても、支持部１１６が、マッサージ具１２２を支持し、更には利用者の膝下を十分に支持することができる。また、マッサージ具１２２と支持部１１６とが互いに凹凸形状であって嵌合するため、支持部１１６がマッサージ具１２２の動きを拘束することが可能となり、安定感が増す。
【００３０】
次に、本発明の第２の実施の形態を説明する。本発明の第２の実施の形態に係るマッサージチェアの外観図を図３及び図４に示す。図３及び図４に示すマッサージチェア２００は、椅子本体２０６、脚部２０８、膝下支持部２１０、支持部２１６及びマッサージ具２２２を有する。
【００３１】
椅子本体２０６は、図１及び図２に示す第１の実施の形態における椅子本体１０６と同様の構成であり、座部２０２及び背もたれ部２０４により構成され、脚部２０８によって支持されている。膝下支持部２１０は、図１及び図２に示す第１の実施の形態における膝下支持部１１０と同様、座部２０２の前方に取り付けられており、上面が略平坦となっており、マッサージチェア２００の利用者の膝下上部を支持する。
【００３２】
支持部２１６は、膝下支持部２１０の前方に形成されている。この支持部２１６の上面は、略平坦になっている。なお、図３及び図４に示すマッサージチェア２００は、膝下支持部２１０と支持部２１６とが別体であるが、これら膝下支持部２１０と支持部２１６とが一体化されていてもよい。
【００３３】
マッサージ具２２２は、図１及び図２に示す第１の実施の形態におけるマッサージ具１２２と同様の構成を有する。すなわち、マッサージ具２２２は、膝下支持部２１０の前方端に左右に延在するように構成された枢軸２２４を回転軸として回動自在に取り付けられており、一方の面は、左右端と中央部とに形成される３つの壁部２１８と、これら３つの壁部２１８の間に形成される２つの溝部２２０とを有し、凹凸形状となっている。これに対して、マッサージ具２２２の他方の面は、略平坦となっている。また、壁部２１８の内部にはマッサージ機能を実現するための機構（図示せず）が構成されている。
【００３４】
マッサージ具２２２は、枢軸２２４を回転軸として後方に回転した場合には、図３に示すように、壁部２１８及び溝部２２０が形成された凹凸形状の面が上面となり、略平坦な面が下面となって、膝下支持部２１０によって支持される。利用者は、マッサージ具２２２が図３に示すように配置されている場合に、椅子本体２０６に腰掛けた上で、２つの溝部２２０のそれぞれに足を片方ずつ配置することにより、マッサージ具２２２により膝下上部が支持され、支持部２１６によって膝下下部が支持され、膝下上部のマッサージを受
けることができる。
【００３５】
なお、利用者は、体を椅子本体２０６の上方にずらすことでマッサージ具２２２により膝下下部のマッサージを受けるようにしてもよい。また、椅子本体２０６に浅く腰掛けた状態でマッサージ具２２２により膝下上部のマッサージを受け、深く腰掛けた状態でマッサージ具２２２により膝下下部のマッサージを受けることができるように椅子本体２０６を構成してもよい。
【００３６】
また、マッサージ具２２２が図３に示すように配置されている場合には、マッサージ具２２２の溝部２２０の凹部底部と、支持部２１６の上面とが略平坦な面となるような構成とすることにより、利用者がマッサージを受ける場合において、膝下上部と膝下下部とが略同一な面により支持されることになり、快適さを向上させることができる。
【００３７】
一方、マッサージ具２２２は、枢軸２２４を回転軸として前方に回転した場合には、図４に示すように、略平坦な面が上面となり、壁部２１８及び溝部２２０が形成された凹凸形状の面が下面となる。この場合、膝下支持部２１０の上面とマッサージ具２２２の略平坦な上面とによって、略平坦な面が形成される。また、支持部２１６がマッサージ具２２２の溝部２２０に嵌合する。そして、マッサージを受けない利用者は、椅子本体２０６に腰掛けた上で、足を伸ばすことにより、膝下支持部２１０によって膝下上部が支持され、マッサージ具２２２によって膝下下部が支持される。すなわち、第１の実施の形態と同様、利用者の膝下の大部分が支持されるため、快適さを向上させることができる。
【産業上の利用可能性】
【００３８】
以上のように、本発明にかかるマッサージ器は、利用者の快適さを向上させるという効果を有し、利用者の膝下をマッサージするマッサージ器として有用である。
【図面の簡単な説明】
【００３９】
【図１】本発明の第１の実施の形態に係るマッサージチェアの第１の外観図
【図２】本発明の第１の実施の形態に係るマッサージチェアの第２の外観図
【図３】本発明の第２の実施の形態に係るマッサージチェアの第１の外観図
【図４】本発明の第２の実施の形態に係るマッサージチェアの第２の外観図
【図５】従来の第１のマッサージチェアの外観図
【図６】従来の第２のマッサージチェアの外観図
【図７】従来の第２のマッサージチェアにおけるフットレストの外観図
【図８】従来の第２のマッサージチェアにおけるフットレストと利用者の足の位置関係を示す図
【符号の説明】
【００４０】
１００、２００  マッサージチェア
１０２、２０２  座部
１０４、２０４  背もたれ部
１０６、２０６  椅子本体
１０８、２０８  脚部
１１０、２１０  膝下支持部
１１２、１１８、２１８  壁部
１１４、１２０、２２０  溝部
１１６、２１６  支持部
１２２、２２２  マッサージ具
１２４、２２４  枢軸
【図１】
2005198978.tif 000003
【図２】
2005198978.tif 000004
【図３】
2005198978.tif 000005
【図４】
2005198978.tif 000006
【図５】
2005198978.tif 000007
【図６】
2005198978.tif 000008
【図７】
2005198978.tif 000009
【図８】
2005198978.tif 000010